(57)【要約】  収容体（１）は、虫を収容しうる内部空間が形成され、内部空間と外とを通じる開口（１１）が形成されて、開口（１１）以外は虫が通過するのを不能に閉じられている。一対のレール（２）は、開口（１１）を挟んで開口（１１）の両側で収容体（１）の外面に互いに平行に設けられ、収容体（１）の開口（１１）が形成された面とカバー（３）との隙間を虫が通過できない大きさに維持して、カバー（３）を収容体（１）の外側で摺動可能に保持する。試料ホルダは、試料を保持してレール（２）に摺動可能に保持され、試料を保持した状態でレール（２）に摺動可能に保持されたときに、試料を開口（１１）から内部空間に露出する。試料を保持した試料ホルダとカバー（３）を、一辺を互いに接した状態で、一対のレール（２）の間で摺動させて、開口（１１）をカバー（３）が覆う位置と開口（１１）を試料が覆う位置との間で移動できる。
2018122952.tif 000002
【特許請求の範囲】
【請求項１】
虫を収容しうる内部空間が形成され、前記内部空間と外とを通じる開口が形成されて、前記開口以外は前記虫が通過するのを不能に閉じられた収容体と、
前記収容体の外側から前記開口を覆いうる板状のカバーと、
前記開口を挟んで前記開口の両側で前記収容体の外面に互いに平行に設けられ、前記収容体の前記開口が形成された面と前記カバーとの隙間を前記虫が通過できない大きさに維持して、前記カバーを前記収容体の外側で摺動可能に保持する一対のレールと、
試料を保持して前記レールに摺動可能に保持され、前記試料を保持した状態で前記レールに摺動可能に保持されたときに、前記試料を前記開口から前記内部空間に露出しうる試料ホルダと、
を備え、
前記試料を保持した前記試料ホルダと前記カバーを、一辺を互いに接した状態で、前記一対のレールの間で摺動させて、前記開口を前記カバーが覆う位置と前記開口を前記試料が覆う位置との間で移動できる防虫性試験装置。
【請求項２】
前記収容体は２以上の前記開口が形成され、かつ、前記開口それぞれに対応して前記一対のレールが形成され、
前記防虫試験装置は、前記開口それぞれに対応して前記カバーおよび前記試料ホルダを備える、請求項１に記載の防虫性試験装置。
【請求項３】
前記収容体は、前記開口が形成された面が前記内部空間の側の面を水平面から傾斜した角度に固定支持される、請求項１または２に記載の防虫性試験装置。
【請求項４】
固定台に対して回動可能で、かつ、定めた角度に固定して、前記収容体を前記固定台に支持する支持機構を備える、請求項１から３のいずれか１項に記載の防虫性試験装置。
【請求項５】
前記収容体は、前記収容体の外側から前記開口が形成された面の前記内部空間の側に、前記虫を誘引する物質または前記虫が忌避する物質を注入しうる注入口が形成されている、請求項１から４のいずれか１項に記載の防虫性試験装置。
【請求項６】
前記収容体は、
前記開口が形成された面を構成する板状部材と、
前記板状部材に支持される柱状部材と、
周囲が前記板状部材に固定され、前記柱状部材を前記板状部材に交わる方向に立てたときに、前記柱状部材で張られて前記虫を収容しうる空間を形成する、可撓性を有する網と、
を備え、
前記網を前記板状部材に沿わせてたたむことができる、請求項１から５のいずれか１項に記載の防虫性試験装置。
【請求項７】
前記試料ホルダは、前記試料を互いの間に挟んで保持しうる２つの枠を含み、前記２つの枠はそれぞれ、前記試料を保持した状態で前記開口を覆う位置でレールに保持されたときに、前記開口が形成された面に直交する方向に、前記開口に少なくとも一部が重複する孔が形成されている、請求項１から６のいずれか１項に記載の防虫性試験装置。
【請求項８】
前記内部空間に収容された前記虫に給餌する給餌装置の一面を前記開口の面に合わせて、前記給餌装置を前記収容体の外側で保持する機構を備える、請求項７に記載の防虫性試験装置。
【請求項９】
請求項１から８のいずれか１項に記載の防虫性試験装置の前記収容体に虫を入れて、前記カバーを前記レールで保持して前記開口を前記カバーで閉じる工程と、
試料を前記試料ホルダに保持する工程と、
前記試料を保持した前記試料ホルダの一辺を前記カバーの辺に接した状態で、前記一対のレールの間で摺動させて、前記試料が前記開口を覆う位置に前記試料ホルダを移動する試料取付工程と、
前記試料を前記開口から前記内部空間に露出させて定めた時間が経過した後に、前記試料を保持した前記試料ホルダの一辺に前記カバーの辺を接した状態で、前記カバーを前記一対のレールの間で摺動させて、前記試料が前記開口を覆う位置に前記カバーを移動する試料取り外し工程と、
前記試料の効果を計測する計測工程と、
を備える防虫性試験方法。
【発明の詳細な説明】
【技術分野】
【０００１】
本発明は、防虫性試験装置および防虫性試験方法に関する。
【背景技術】
【０００２】
人間またはペットの生活で、不快な虫または有害な虫を避けるために、殺虫剤、忌避剤および虫除け剤が提案され、実用化されている。それら殺虫剤、忌避剤または虫除け剤の効果を検証するためには、客観的に防虫性能を試験する必要がある。【０００３】
例えば、特許文献１の段落［００２１］には、羽化後１〜２週間で未吸血の蚊を入れた布ケ−ジに、実験者の片方の腕に袋状にした試験布帛をはめて差し入れ、定めた時間の止まり数と吸血行動の動作を示した蚊の個体数を数えて、試験品と対照区それぞれの止まり数または吸血行動した固体数から、忌避指数を求めることが記載されている。特許文献２の段落［００２３］には、羽化後１〜２週間の未吸血の蚊を入れた布ケ−ジに、試験品と対照品でそれぞれ処理したラットを各々金網袋に入れて固定し、３分後の止まり数と吸血行動の動作を示した蚊の個体数を数えて、試験品と対照区それぞれの数から、忌避指数を求めることが記載されている。【０００４】
特許文献３の段落［００３４］に記載されている試験方法では、上部の開口部をメッシュで被覆した樹脂製容器を用意し、その容器底面の両端付近にガラス製シャーレ大サイズをそれぞれ配置する。一方のシャーレに薬剤処理済の検体シートを、他方には無処理のブランクシートを敷く。それぞれのシャーレ中央に、蚊の誘引餌となる５％砂糖水２ｇを含浸させた脱脂綿シートを入れたシャーレ小サイズを載置き、これを試験装置とする。この試験装置内に６時間程絶食させたヒトスジシマカ１００個体（雌雄無選別）を供試し、２時間内に、検体エリアおよびブランクエリアそれぞれのシャーレ大サイズで、蚊の静止が確認できた延べ個体数を記録する。【０００５】
特許文献４の段落［００２９］に記載されている試験方法では、内径１０ｃｍ長さ１００ｃｍのアクリル樹脂製円筒を横置させ、その両端から１５ｃｍの部分にガーゼを張りフィルターとし、さらに円筒の両端から中央部にプラスチック板による可動式仕切りを設ける。直径１０ｃｍのろ紙に試験対象の各種香料成分を０．５ｇ含浸させ、供試ろ紙とする。片端側の筒壁の一部に供試昆虫を入れる為の穴部をあけ、そこからアカイエカ雌成虫２５匹を円筒内部へ放し、穴部を閉じる。片端とガーゼフィルターとの間に供試ろ紙を設置してから、円筒中央部の仕切りを取り除き、仕切り位置から他端の方向への供試昆虫の移動数を経時的に観察する。
【先行技術文献】
【特許文献】
【０００６】
【特許文献１】特開２００５−０２３４３９号公報
【特許文献２】特開２００６−１６９２０９号公報
【特許文献３】特開２０１０−１２６４８６号公報
【特許文献４】特開２０１３−１３６５２４号公報
【発明の概要】
【発明が解決しようとする課題】
【０００７】
特許文献１または２の試験装置では、蚊を入れた布ケージに試料を入れるときに、蚊が布ケージから逃げ出てしまう可能性がある。特許文献３の試験方法では、先に試料を樹脂製容器の中に設置して後から蚊を入れるので、多数の蚊を入れるのに時間がかかり、試験を開始した時刻を正確に決定することができない。また、検体と比較品との競合試験しかできない。【０００８】
特許文献４の試験装置では、試料の供試ろ紙と蚊はガーゼで隔てられているので、試料に蚊が接触したときの効果を計測する試験を行うことができない。また、誘引餌を用いないので、試験できる効果は限定的であり、また、試料物質の拡散速度が考慮されていない。【０００９】
本発明は、上述のような事情に鑑みてなされたものであり、防虫性試験で試験中に虫が逃げ出ることがなく、より多様な効果をより正確に計測することを目的とする。
【課題を解決するための手段】
【００１０】
本発明の第１の観点に係る防虫性試験装置は、
虫を収容しうる内部空間が形成され、前記内部空間と外とを通じる開口が形成されて、前記開口以外は前記虫が通過するのを不能に閉じられた収容体と、
前記収容体の外側から前記開口を覆いうる板状のカバーと、
前記開口を挟んで前記開口の両側で前記収容体の外面に互いに平行に設けられ、前記収容体の前記開口が形成された面と前記カバーとの隙間を前記虫が通過できない大きさに維持して、前記カバーを前記収容体の外側で摺動可能に保持する一対のレールと、
試料を保持して前記レールに摺動可能に保持され、前記試料を保持した状態で前記レールに摺動可能に保持されたときに、前記試料を前記開口から前記内部空間に露出しうる試料ホルダと、
を備え、
前記試料を保持した前記試料ホルダと前記カバーを、一辺を互いに接した状態で、前記一対のレールの間で摺動させて、前記開口を前記カバーが覆う位置と前記開口を前記試料が覆う位置との間で移動できる。【００１１】
本発明の観点に係る防虫性試験方法は、
第１の観点の防虫性試験装置の前記収容体に虫を入れて、前記カバーを前記レールで保持して前記開口を前記カバーで閉じる工程と、
試料を前記試料ホルダに保持する工程と、
前記試料を保持した前記試料ホルダの一辺を前記カバーの辺に接した状態で、前記一対のレールの間で摺動させて、前記試料が前記開口を覆う位置に前記試料ホルダを移動する試料取付工程と、
前記試料を前記開口から前記内部空間に露出させて定めた時間が経過した後に、前記試料を保持した前記試料ホルダの一辺に前記カバーの辺を接した状態で、前記カバーを前記一対のレールの間で摺動させて、前記試料が前記開口を覆う位置に前記カバーを移動する試料取り外し工程と、
前記試料の効果を計測する計測工程と、
を備える。
【発明の効果】
【００１２】
本発明によれば、試料ホルダとカバーを、一辺を互いに接した状態で、一対のレールの間で摺動させて、開口をカバーが覆う位置と開口を試料が覆う位置との間で移動できるので、防虫性試験で試験中に虫が逃げ出ることがなく、より多様な効果をより正確に計測することができる。
【図面の簡単な説明】
【００１３】
【図１】本発明の実施の形態１に係る防虫性試験装置の斜視図
【図２】実施の形態１に係る防虫性試験装置の開口部の正面図
【図３】実施の形態１に係る防虫性試験装置の開口部の横断面図
【図４】実施の形態１に係る防虫性試験装置の開口部の縦断面図
【図５】実施の形態１に係る防虫性試験装置の試料ホルダの斜視図
【図６】実施の形態１に係る防虫性試験装置においてカバーと試料ホルダを接触させた状態を示す正面図
【図７】実施の形態１に係る防虫性試験装置において試料ホルダを開口に移動させた状態を示す正面図
【図８】実施の形態１に係る防虫性試験の過程の一例を示すフローチャート
【図９】変形例１に係るレールとカバーの横断面図
【図１０】変形例１に係る試料ホルダの横断面図
【図１１】変形例２に係るレールとカバーの横断面図
【図１２】本発明の実施の形態２に係る防虫性試験装置の収容体部分の斜視図
【図１３】実施の形態２に係る給餌装置の断面図
【図１４】実施の形態２に係る防虫性試験装置の支持機構の斜視図
【図１５】実施の形態２に係る防虫性試験装置の試料と給餌装置をセットした状態を示す断面図
【図１６】本発明の実施の形態２に係る防虫性試験装置の収容体の展開と折りたたみを示す図
【図１７】実施の形態２に係る防虫性試験の過程の一例を示すフローチャート
【発明を実施するための形態】
【００１４】
以下、図面を参照して、本発明の実施の形態について詳細に説明する。なお、図中、同一または相当する部分には、同じ符号を付す。なお、この開示で「虫」とは、人・獣・鳥・魚介類以外の小動物の総称であり、「虫」は、節足動物および環形動物を含む。
【００１５】
実施の形態１．
図１は、本発明の実施の形態１に係る防虫性試験装置の斜視図である。防虫性試験装置は、開口１１が形成され、開口１１以外は虫が通過するのを不能に閉じられて内部に虫を収容しうる収容体１から構成されている。防虫性試験装置は、収容体１の外側から開口１１を覆いうる板状のカバー３を備える。収容体１には、開口１１を挟んで開口１１の両側で収容体１の外面に、互いに平行な一対のレール２が開口１１ごとに設けられている。レール２は、収容体１の開口１１が形成された面とカバー３との隙間を虫が通過できない大きさに維持して、カバー３を収容体１の外側で摺動可能に保持する。
【００１６】
収容体１の開口１１が形成された面は、板状部材１０で形成されている。収容体１は、例えば、部分的にまたは全体が透明な樹脂で形成され、内部を観察できる。収容体１は、開口１１が形成された面を除いて、部分的にまたは全体に、収容する虫が通過できない網で形成されてもよい。
【００１７】
図１の例では、収容体１の１つの面に３つの開口１１が形成されている。開口１１の数は１以上であればいくつでもよい。また、複数の面に開口１１が形成されていてもよい。収容体１は、直方体に限らず、閉じた立体であればどのような形でもよい。収容体１は、例えば、両方の底面が閉じられた円筒でもよい。その場合、円筒面または底面に開口１１を形成することができる。
【００１８】
なお、収容体１は、開口１１以外に開閉できる窓または孔が形成されていても構わない。その窓または孔が閉じられて、収容体１に虫を投入してから、試験を終了するまで、窓または孔を虫が通過できなければよい。そのような窓または孔が形成されていても、収容体１は、開口１１以外は虫が通過するのを不能に閉じられて内部に虫を収容することができる。
【００１９】
収容体１は、開口１１が形成された面を垂直にして置かれるとは限らない。例えば、開口１１が形成された面を上または下にして、水平に置いてもよい。あるいは、開口１１が形成された面を水平面から傾けてもよい。
【００２０】
図２は、実施の形態１に係る防虫性試験装置の開口部の正面図である。図２では、３つの開口１１のうち、左の１つは、開口１１を閉じるカバー３が開けられた状態を、右の２つは、開口１１がカバー３で閉じられた状態を示す。レール２は、一端で互いに向き合う方向に折れ曲がっていて、その端でカバー３はそれ以上移動できないようになっている。カバー３とレール２または収容体１には、カバー３が開口１１を塞ぐ位置でカバー３を保持するように、図示しない係止部が形成されている。例えば、カバー３とレール２の一方に、突起が形成されたバネを備え、他方に突起が嵌まるノッチが形成されている。
【００２１】
図３は、実施の形態１に係る防虫性試験装置の開口部の横断面図である。図３は、図２のＸ−Ｘ線断面を示す。レール２はそれぞれ、収容体１の外面に突き出て、先が互いに対向する方向の内側に折れ曲がった形状で、収容体１の外面とそれに対向するレール２の対向面でカバー３を挟んで保持する。カバー３は、図３の紙面に直交する方向に摺動可能である。一対のレール２の対向する距離は、開口１１の幅より大きい。
【００２２】
図４は、実施の形態１に係る防虫性試験装置の開口部の縦断面図である。図４は、図２のＹ−Ｙ線断面を示す。レール２は、対向する収容体１の外面に平行に形成されている。レール２は、一端で対向する方向の内側に折れ曲がっていて、移動止め２１を形成している。開口１１から移動止め２１より遠くにはカバー３を移動できない。レール２の移動止め２１と反対の端は開放されていて、カバー３と同じ断面形状の部材をレール２と収容体１の間に挿入することができる。
【００２３】
図５は、実施の形態１に係る防虫性試験装置の試料ホルダの斜視図である。図５は、試料ホルダ４を開いた状態を示す。試料ホルダ４は、１つの辺で互いに回動可能に結合された薄い板Ａ４１および板Ｂ４２から構成されている。板Ａ４１および板Ｂ４２の結合には、例えば、蝶番構造を用いることができる。あるいは、可撓性を有し、繰り返し曲げ伸ばしが可能な樹脂で結合してもよい。板Ａ４１および板Ｂ４２はそれぞれ孔４３、４４が形成されており、板Ａ４１および板Ｂ４２を重ね合わせるように閉じたときに、孔４３、４４どうしが重なって１つの貫通した孔を構成する。
【００２４】
板Ａ４１には、四隅に凹穴４５が形成され、板Ｂ４２には、四隅に突起４６が形成されている。板Ａ４１と板Ｂ４２を重ね合わせるように閉じたときに、突起４６が凹穴４５に嵌合する。板Ａ４１および板Ｂ４２の間にシート状の試料を挟んで閉じると、突起４６が凹穴４５に嵌合して試料を動かないように固定できる。試料は、例えば、防虫処理が施された布帛、または、防虫処理が施されていない布帛である。試料は布帛に限らず、皮膚、樹皮または葉などを模擬するフィルム、紙または樹脂板などでもよい。板Ａ４１および板Ｂ４２の間にシート状の試料を挟んで閉じると、試料ホルダ４の断面は、カバー３の断面と同じ形状になり、試料を保持した試料ホルダ４をレール２と収容体１の間に挿入して摺動させることができる。
【００２５】
なお、板Ａ４１と板Ｂ４２は、互いに回動可能に結合される構成に限らず、別体であってもよい。また、試料を孔４３、４４からずれないように固定できれば、凹穴４５および突起４６の構造には限らない。
【００２６】
図６は、実施の形態１に係る防虫性試験装置においてカバーと試料ホルダを接触させた状態を示す正面図である。試料９は、板Ａ４１および板Ｂ４２に挟まれ、試料ホルダ４に保持されている。試料９は、試料ホルダ４の孔４３、４４を塞いでいる。図６は、カバー３が開口１１を閉じる位置にあるときに、試料９を保持した試料ホルダ４をレール２と収容体１の間に挿入して、カバー３の辺に試料ホルダ４の辺を接触させた状態を示す。カバー３と試料ホルダ４を、一辺を互いに接したまま一対のレール２の間で摺動させて、カバー３が開口１１を覆う位置から、試料ホルダ４に保持された試料９が開口１１を覆う位置に移動できる。カバー３と試料ホルダ４は、一辺を互いに接したまま摺動されるから、カバー３と試料ホルダ４の接した辺が開口１１を通過するときに、カバー３と試料ホルダ４の間を虫が通過することはできない。
【００２７】
図７は、実施の形態１に係る防虫性試験装置において試料ホルダを開口に移動させた状態を示す正面図である。レール２の幅方向で、収容体１の開口１１と試料ホルダ４の孔４３、４４の位置が合っているので、試料ホルダ４の孔４３、４４が開口１１に合う位置に試料ホルダ４を移動させて、試料９を開口１１から収容体１の内部空間に露出させることができる。そのとき孔４３、４４は、開口１１が形成された面に直交する方向に、開口１１に少なくとも一部が重複する。試料ホルダ４の孔４３、４４が開口１１に合う位置に試料ホルダ４を移動すると、ちょうど、カバー３が移動止め２１に当たるようになっている。
【００２８】
なお、試料ホルダ４を、孔４３、４４が開口１１に合う位置に保持できるように係止する機構が形成されていれば、レール２の移動止め２１はなくてもよい。試料ホルダ４を、開口１１の位置に保持した状態では、カバー３を収容体１から離脱してもかまわない。移動止め２１でカバー３を保持することができれば、試料ホルダ４を取り外すときに、カバー３がすでに試料ホルダ４に接してレール２に保持されているので便利である。
【００２９】
図６および図７は、それぞれ１つの開口１１を示すが、他の開口１１についても同様に、カバー３と試料ホルダ４を、一辺を互いに接したまま一対のレール２の間で摺動させて、試料ホルダ４を開口１１の位置に移動させ、試料９を開口１１から収容体１の内部空間に露出させることができる。
【００３０】
図７に示す状態から逆に、カバー３と試料ホルダ４を、一辺を互いに接したまま反対に摺動させて、開口１１をカバー３で覆う位置に移動させることができる。実施の形態１に係る防虫性試験装置によれば、虫が通過できない状態を保ったまま、開口１１をカバー３で覆う位置と、開口１１から試料９を露出する位置とを、瞬時に切り換えることができる。
【００３１】
試料ホルダ４に保持された試料９を開口１１の位置に合わせると、試料９は開口１１から収容体１の内部空間に直に露出されるから、試料９が虫を誘引する効果、または、虫が試料９を忌避する効果だけではなく、虫が試料９に接触した場合の効果を確かめることができる。さらに、試料９の担体が布帛のように気体または液体を透過する場合に、試料担体の背面に虫を誘引する物質、例えば誘引餌を置けば、虫を試料９の背面に置いた物質で誘引して、試料９の方に引き寄せることができる。その結果、虫が試料９を忌避する効果、または、虫が試料９に接触した場合の効果を、いわば、より強調または増幅して調べることができる。
【００３２】
図８は、実施の形態１に係る防虫性試験の過程の一例を示すフローチャートである。試験に用いる虫として、ある条件で飼育されている一群の虫、例えば、蚊、ノミまたはダニなどがあるものとする。まず、防虫性試験装置および試料９を準備する。防虫性試験装置のカバー３をスライドさせて、収容体１の開口１１を開く（ステップＳ１１）。飼育されている一群の虫から、雌雄それぞれ規定の数の個体を抽出して、開口１１から収容体１に入れ（ステップＳ１２）、ただちにカバー３をスライドさせて開口１１を閉じる（ステップＳ１３）。収容体１に開口１１以外の開閉できる窓または孔がある場合は、その窓または孔から虫を収容体１に入れてもよい。その場合、開口１１をカバー３で閉じておく。
【００３３】
試料９を試料ホルダ４に取り付ける（ステップＳ１４）。試験によっては、試料９の背面に誘引物質、例えば、誘引餌を取り付ける。誘引物質を取り付けるには、例えば、誘引餌の液体を含んだ脱脂綿または濾紙を、試料９の背面側の試料ホルダ４に粘着テープで貼り付けることができる。そして、試料９を保持する試料ホルダ４とカバー３を、互いに一辺を接した状態でスライドさせ、試料ホルダ４に保持された試料９を開口１１の位置に設置する（ステップＳ１５）。試料９を開口１１に設置した時から、定めた時間、その状態を維持する（ステップＳ１６）。
【００３４】
試料９が開口１１から収容体１の内部空間に露出されている間に、試料９に止まった個体の数、誘引餌を吸引する行動を示した個体の数、または、試料９に接触して影響を受けた個体の数を、それぞれ、観察して計測することができる。あるいは、収容体１の内部を撮影して、例えば、定めた条件に合う個体を数えたり、虫が試料９に止まっている延べ時間を計測することができる。
【００３５】
定めた時間が経過したら、試料ホルダ４とカバー３を、互いに一辺を接した状態でスライドさせ、カバー３を開口１１の位置に移動して、試料ホルダ４を収容体１からはずす（ステップＳ１７）。そして、定めた基準に該当する個体を数える（ステップＳ１８）。上述のとおり、試料９が開口１１から収容体１の内部空間に露出されている間に、基準に該当する個体を数えたり、開口１１をカバー３で覆ってから、下に落ちている個体の数を数えたりする。基準に該当する個体数、または、基準に該当する延べ時間などを、その試料９の効果を表す指標とすることができる。試験対象の試料９と比較する試料９とで同じ試験を行えば、比較対照に対する試験対象の試料９の効果を知ることができる。
【００３６】
以上説明したように、実施の形態１に係る防虫性試験装置によれば、防虫性試験で試験中に虫が逃げ出ることがなく、試験の開始から終了までの時間を正確に決めることができる。また、試料９について、試料９が虫を誘引する効果、または、虫が試料９を忌避する効果だけでなく、虫が試料９に直に接触した場合の効果を計測できる。さらに、試料９の背面に誘引物質を配置して、虫が試料９を忌避する効果、または、虫が試料９に接触した場合の効果を、いわば、より強調または増幅して調べることができる。その結果、より多様な効果をより正確に計測することができる。
【００３７】
図９は、変形例１に係るレールとカバーの横断面図である。図９は、図２のＸ−Ｘ線断面に相当する。変形例１では、レール２はそれぞれ対向する方向の外側に向かって折れ曲がっている。カバー３は、摺動部３２でレール２を抱えるように包み、摺動部３２の端は、内側に折れ曲がって、収容体１の外面とレール２の対向面に挟まれている。カバー３がレール２に嵌まっている状態で、カバー３の中央部３１は、収容体１の外面に近接している。変形例１でも、レール２は、収容体１の開口１１が形成された面とカバー３との隙間を虫が通過できない大きさに維持して、カバー３を収容体１の外側で摺動可能に保持する。
【００３８】
図１０は、変形例１に係る試料ホルダの横断面図である。試料ホルダ４は、部材Ａ４７と部材Ｂ４８から構成される。部材Ａ４７は、変形例１のカバー３と断面の外形が同じであり、摺動部４９が両側に形成されている。部材Ｂ４８は、部材Ａ４７の中央の窪みに嵌合する。部材Ａ４７および部材Ｂ４８は、それぞれ中央に孔４３、４４が形成され、部材Ｂ４８を部材Ａ４７に嵌合させると、孔４３、４４どうしが重なる。部材Ａ４７および部材Ｂ４８の孔４３、４４は、収容体１の開口１１に重なるように形成されている。部材Ａ４７と部材Ｂ４８の間に試料９を挟んで保持することができる。試料ホルダ４は、試料９を保持した状態でレール２に摺動可能に保持されて、試料９を開口１１から収容体１の内部空間に露出する。
【００３９】
変形例１では、試料ホルダ４の厚さがレール２に制限されないので、使用できる試料９の厚さの範囲が大きい。また、レール２の上も誘引物質を保持する空間として利用できる。
【００４０】
図１１は、変形例２に係るレールとカバーの横断面図である。図１１は、図２のＸ−Ｘ線断面に相当する。変形例２では、カバー３は、収容体１の外面より内部空間の側に保持される。収容体１には、内側に凹んだ部分の底部１２が形成され、レール２は、収容体１の外面が延長した突出部で構成される。カバー３はレール２と底部１２の間に挟まれて保持される。収容体１の開口１１は底部１２に形成されている。変形例２のカバー３および試料ホルダ４には、実施の形態１のカバー３および試料ホルダ４と同じものを用いることができる。
【００４１】
変形例２のレール２は、例えば、収容体１の開口１１が形成されている面の端まで形成されて、収容体１の辺からカバー３および試料ホルダ４を挿入することができる。あるいは、開口１１が形成されている途中までしかレール２が形成されず、レール２のない部分からカバー３および試料ホルダ４を挿入することができる。変形例２では、試料ホルダ４が収容体１の内部空間の側に突き出されて保持されるので、試料９を板状部材１０から、内部空間の側に浮き上がらせることができる。
【００４２】
実施の形態２．
図１２は、本発明の実施の形態２に係る防虫性試験装置の収容体部分の斜視図である。実施の形態２では、収容体１は、開口１１が形成された面以外の部分が、虫が通過できない網１３で形成されている。また、内部空間に収容された虫に給餌する給餌装置の一面を、収容体１の外側で開口１１の面に合わせて保持する機構を備える。さらに、収容体１には、収容体１の外側から開口１１が形成された面の内部空間の側に、虫を誘引する物質または虫が忌避する物質を注入しうる注入口１５が形成されている。開口１１、レール２、カバー３および試料ホルダ４は、実施の形態１と同様である。実施の形態２では、収容体１は、開口１１が形成された面が水平面から傾斜した角度に固定支持される。
【００４３】
収容体１の開口１１が形成された面は、例えば、樹脂または金属の板状部材１０で形成されている。板状部材１０は透明であってもよい。板状部材１０以外の収容体１の外面は、可撓性を有し、収容体１に収容される虫が通過できない大きさの網目の網１３で構成されている。板状部材１０に対して網１３を張って内部空間を形成するために、板状部材１０の四隅に柱１６が立てられている。柱１６を補強するために、板状部材１０の一つの辺の両端の柱１６の上部は梁で互いに連結されている。柱１６は、板状部材１０に対して回動可能に支持されている。柱１６を板状部材１０に対して立てれば、網１３を張って虫を収容する内部空間を形成することができる。柱１６を板状部材１０に沿わせれば、網１３を畳むことができる。
【００４４】
収容体１の開口１１が形成された板状部材１０には、開口１１を取り囲むように配置されたスタッド１４が形成されている。スタッド１４には、虫に給餌する給餌装置を取り付けることができる。また、板状部材１０には、貫通する注入口１５が形成されている。注入口１５を通して、虫を誘引する物質、または、虫が忌避する物質を収容体１の内部に注入することができる。
【００４５】
図１３は、実施の形態２に係る給餌装置の断面図である。給餌装置５はほぼ円柱形であり、円柱形の本体５１の一方の底面に凹部５２が形成されている。本体５１の外径は、試料ホルダ４の孔４３、４４に嵌まる大きさである。凹部５２には、虫の餌になる液体が入れられ、その上を膜５３で被って液体を保持する。膜５３は円柱形の外側面に形成された溝に嵌められるＯリング５４で固定される。円柱形の外側面には、給餌装置５をスタッド１４に取り付けるための支持板５５が設けられている。支持板５５には、スタッド１４が嵌められる穴５６が形成されている。給餌装置５の凹部５２が形成された底面を収容体１の開口１１の面に合わせて、給餌装置５は収容体１の外側で保持される。
【００４６】
給餌装置５は、図示しない温度センサとヒータを備え、温度センサとヒータは、餌の液体を定めた温度に保つ、図示しない制御装置に接続される。餌である液体は、虫と試験の内容に応じて選択される。餌は、例えば、動物の血液、あるいは、砂糖の水溶液または虫が好む樹液である。特に、蚊、ノミまたはダニなどの吸血性の虫に対して、動物の血液を餌として用いる場合は、餌の温度を動物の体温程度に保つように制御する。液体を保持する膜５３として、例えば、プラスチックパラフィンフィルム、あるいは、コラーゲンまたはセルロースから作るソーセージの人工ケーシングを用いることができる。膜５３として、豚または羊から採取した腸、いわゆるソーセージのケーシングを用いてもよい。給餌の条件を一定に保つためには、天然の素材より、膜圧を均一にできる人工の膜の方が都合がよい。
【００４７】
図１４は、実施の形態２に係る防虫性試験装置の支持機構の斜視図である。支持機構６は、基盤６０、支持枠６１および支柱６４から構成される。支持枠６１は、基盤６０の表面に平行に配置されるシャフト６２と、シャフト６２の両端からシャフト６２に直交する２方向に延びるアーム６３を備える。支持枠６１は、基盤６０に平行なシャフト６２の周りに回動可能に支持される。支持枠６１のアーム６３の一端は、長さを調節できる支柱６４で、基盤６０に支持される。支柱６４は、長さが調節可能で、一端は基盤６０に回動可能に支持され、他端はアーム６３に回動可能に結合している。
【００４８】
支持機構６には、例えば、収容体１の開口１１が形成された面の一辺を支持枠６１のアーム６３に接して、支持枠６１の上に収容体１が載置される。支持機構６は図示しない固定台に載置される。支持機構６は、固定台に対して回動可能で、かつ、定めた角度に固定して、収容体１を固定台に支持する。収容体１は、図１４に示されるように、開口１１が形成された面が内部空間の側を上向きにして水平面から傾斜した角度に固定支持される。
【００４９】
収容体１の開口１１が形成された面に対向する面が、収容体１を支持できる強度を有するなら、開口１１が形成された面を上向きにして、収容体１を支持機構６に載置してもよい。例えば、実施の形態１の収容体１の場合は、いずれの辺を支持機構６のシャフト６２に沿わせて、載置してもよい。あるいは、収容体１を支持機構６に固定して、収容体１をシャフト６２より下に保持できるように基盤６０を構成してもよい。
【００５０】
支持機構６で、開口１１が形成された面の内部空間の側を上向きにして水平面から傾斜した角度にするのは、収容体１に入れた虫が試料９に止まりやすいようにするためである。試験する対象の虫の種類によっては、試料９が収容体１の天井面にある場合や、試料９の面が下向きまたは垂直な場合に比べて、上向きの方が虫は止まりやすいので、試料９の効果をより正確に計測できると考えられる。
【００５１】
試験する対象の虫の種類によっては、試料９の面を天井もしくは下向きに傾斜する角度、または垂直にして、収容体１を固定する。支持機構６によれば、虫の生態に応じて、試料９の面が最適な向きになるように、角度を調節して固定することができる。虫の生態に合わせて、試料９の面の角度を調節することにより、虫の試料９への止まり数、または、餌を摂取する個体が多くなる条件で試験を行い、試験試料と比較試料の差をより明確に計測することができる。
【００５２】
図１５は、実施の形態２に係る防虫性試験装置の試料と給餌装置をセットした状態を示す断面図である。収容体１は、板状部材１０の開口１１が形成された面が、内部空間の側を上向きにして水平面から傾斜した角度に固定支持されるので、図１５では、開口１１が形成された面が傾斜して表されている。
【００５３】
試料９は試料ホルダ４に挟まれて保持されている。試料ホルダ４は、試料９が開口１１から内部空間に露出する位置で、レール２に保持されている。カバー３は、レール２の移動止め２１に当たっており、試料ホルダ４は、カバー３と接しているので、試料ホルダ４は、下には動かない。給餌装置５がスタッド１４に取り付けられ、給餌装置５の餌を保持する側の底面が試料９に押しつけられて、試料９が開口１１の内部空間側の面に一致するように押し込まれている。給餌装置５は、支持板５５がスタッド１４に嵌められ、支持板５５は、例えば、スタッド１４に形成されたネジに螺合する２つのナット５７で挟まれて固定されている。
【００５４】
板状部材１０に形成された注入口１５を通って、ニードル７が内部空間に突き出ている。ニードル７は、先端に噴射口が形成された中空の管で、配管７０の先に取り付けられている。配管７０は、図示しないシリンジまたは圧力ボンベの調節弁に接続している。シリンジまたは圧力ボンベは、虫を誘引する物質または虫が忌避する物質を供給する。
【００５５】
例えば、収容体１に吸血性の蚊を収容し、給餌装置５に、動物の血液を入れて、誘引餌とする。さらに、開口１１が形成された面の内部空間の側に、蚊を誘引する物質として、例えば、二酸化炭素をニードル７で注入する。二酸化炭素は、空気より比重が大きいので、拡散しながら板状部材１０に沿って下方に移動し、試料９を被って、蚊を誘引する。二酸化炭素はさらに下方に流れて、網目から外に排出される。
【００５６】
収容体１に収容された蚊は、試料９を通して、給餌装置５の血液を吸うことができる。試料９に蚊の吸血行動を抑制または阻む効果がある場合の吸血行動する個体数は、試料９に蚊の吸血行動を抑制および阻む効果がない場合の吸血行動する個体数より少なくなることが予想される。規定の数の蚊を収容体１に収容して、定めた時間に吸血行動した個体数で、試料９の防虫効果を計測できる。
【００５７】
吸血した蚊は、吸った血液を体内に溜めているので、蚊を潰して血液が含まれているかどうかを確かめれば、蚊が吸血したか否かを判定できる。そこで、開口１１をカバー３で閉じて試料９を除去した後に、蚊を収容体１に収容したまま一旦冷凍し、蚊を１つづつ潰して吸血した個体を数える。予め雌雄それぞれ規定の数の蚊を収容して試験し、雌の蚊のうち吸血した個体数または吸血しなかった個体数を、試験した試料９の防虫性能を表す指標とすることができる。試験に用いた布帛などと同種の担体で、防虫処理を施していない担体を比較試料として同じ試験を行った場合の、吸血した個体数または吸血しなかった個体数と比較して、試験試料と比較試料との差または比を試験試料の防虫性能とすることができる。
【００５８】
餌を摂取したか否か以外に、試料９に、虫の行動を抑制、もしくは不能にする効果がある場合、例えば、試料９に接近または接触した虫がノックダウンして、行動不能に陥る場合に、ノックダウンした個体数をもって、防虫効果を測定することができる。
【００５９】
図１６は、本発明の実施の形態２に係る防虫性試験装置の収容体の展開と折りたたみを示す図である。図１６は、図１２の収容体１をレール２の方向に見た側面図である。図１６では、レール２、カバー３、スタッド１４および網１３が省略されている。柱１６は板状部材１０の端に軸１９の周りに回動可能に支持されている。柱１６は、管状のポールＡ１７と、ポールＡ１７に摺動可能に収容されるポールＢ１８から構成されている。ポールＡ１７は、ポールＡ１７に対してポールＢ１８を伸ばした状態と、縮めた状態を保つことができる。ポールＢ１８の先端は、図１２に示されるように隣合う柱１６と互いに梁で連結されていてもよい。柱１６は、図１２に示されるように、網１３で囲まれた空間の内部に配置されている。
【００６０】
柱１６を板状部材１０に対して交わる方向に立ててポールＢ１８を伸ばすと、網１３を張った状態になる。網１３を張った状態から、ポールＢ１８をポールＡ１７に収納して柱１６を縮め、柱１６を板状部材１０に沿わせるように倒せば、網１３を板状部材１０に寄せて畳むことができる。虫を収容体１の内部空間に収容したままでも、網１３を畳むことができる。網１３は袋になっているから、網１３を畳んでも虫が逃げ出ることはない。
【００６１】
網１３を畳めるので、虫を冷凍する場合に、冷凍機内で占めるスペースを節約できる。網１３を畳むと、内部空間の容積が小さくなるので、速く冷凍できる。また、収容体１を保管するスペースを節約することができる。
【００６２】
網１３と柱１６の構造は、図１２および図１６に示す構造に限らない。例えば、板状部材１０に直交する辺の長さが板状部材１０の辺の長さの半分より小さければ、柱１６を固定長にしてもよい。また、畳んだときに柱１６が重なることを許容するなら、柱１６は固定長でも構わない。柱１６は、板状部材１０の辺に平行な面で回動しなくてもよい。例えば、柱１６を補強する梁をなくして、柱１６を板状部材１０の対角線の方向に倒せるようにしてもよい。
【００６３】
収容体１は、網１３で囲まれた空間の内部に柱１６を配置する構造に限らない。柱１６を網１３の外に配置して、蚊帳を室内に吊るように、網１３の角を柱１６に掛ける構成にすることができる。その場合、網１３を柱１６に掛けたり外したりできれば、柱１６は板状部材１０に回動可能に支持される必要はなく、柱１６を板状部材１０に着脱できる構造でもよい。さらに、一部の柱１６を支持機構６のアーム６３で代用することもできる。
【００６４】
図１７は、実施の形態２に係る防虫性試験の過程の一例を示すフローチャートである。まず、収容体１の柱１６を立てて、収容体１の網１３を展開する（ステップＳ２０）。ステップＳ２１〜ステップＳ２５は、図８のステップＳ１１〜ステップＳ１５と同じである。
【００６５】
試料９を保持する試料ホルダ４とカバー３を、互いに一辺を接した状態でスライドさせ、試料ホルダ４に保持された試料９を開口１１の位置に設置したら（ステップＳ２５）、収容体１を支持機構６に設置する（ステップＳ２６）。ステップＳ２５とステップＳ２６を入れ替えて、収容体１を支持機構６に設置してから、試料ホルダ４を開口１１の位置に設置してもよい。
【００６６】
次に、給餌装置５を取り付ける（ステップＳ２７）。ここでは、給餌装置５を取り付けた時を、試験の開始時刻とする。虫を誘引する物質を、注入口１５から注入し（ステップＳ２８）、定めた時間、その状態を維持する（ステップＳ２９）。虫を誘引する物質を注入するのは、連続して注入してもよいし、間欠して注入してもよい。また、虫を誘引する物質を注入する速さは一定の割合に限らず、変化させてもよい。
【００６７】
定めた時間が経過したら、給餌装置５を取り外す（ステップＳ３０）。この場合、給餌装置５を取り外す時が、試験の終了時刻である。次いで、収容体１を支持機構６から取り外し（ステップＳ３１）、試料ホルダ４とカバー３を、互いに一辺を接した状態でスライドさせ、カバー３を開口１１の位置に移動して、試料ホルダ４を収容体１からはずす（ステップＳ３２）。試料ホルダ４をはずしてから、収容体１を支持機構６から取り外してもよい。
【００６８】
収容体１を支持機構６から取り外したら、収容体１の網１３を畳む（ステップＳ３３）。網１３を畳んだ収容体１を冷凍庫に入れて、収容体１に収容された虫を冷凍する（ステップＳ３４）。虫を一旦冷凍したら、定めた基準に該当する個体を数える（ステップＳ３５）。例えば、蚊を潰して、吸血した個体を数える。
【００６９】
実施の形態１と同様、試料９が開口１１から収容体１の内部空間に露出されている間に、基準に該当する個体を数えたり、開口１１をカバー３で覆ってから、下に落ちている個体の数を数えたりする。試験を実施している間、給餌装置５を取り付けてから（ステップＳ２７）、給餌装置５を取り外すまで（ステップＳ３１）の間、あるいは、試料ホルダ４を収容体１に設置してから（ステップＳ２５）、試料ホルダ４を収容体１からはずすまで（ステップＳ３２）の間に、定めた基準に該当する虫を計測してもよい。例えば、試料９から定めた範囲に接近した虫の個体数、試料９に止まった虫の個体数、虫が試料９に止まった延べ時間、あるいは、ノックダウンした虫の個体数、などを計測することができる。基準に該当する個体数、または、基準に該当する延べ時間を、その試料９の効果を表す指標とすることができる。
【００７０】
防虫処理を施した試料９と、防虫処理を施していない試料９について、同じ条件で飼育した同数の虫で同じ試験を行い、それぞれの吸血行動した個体数から、防虫処理を施した試料９の防虫性能を評価することができる。吸血行動した個体数を収容体１に入れた個体数で正規化するなら、収容体１に入れる個体数を同じにしなくてもよい。
【００７１】
防虫処理を施した試料９の場合の収容体１に入れた個体数をＮｔ、防虫処理を施した試料９の場合の吸血行動した個体数をｎｔ、防虫処理を施さない試料９の場合の収容体１に入れた個体数をＮｃ、防虫処理を施さない試料９の場合の吸血行動した個体数をｎｃとして、例えば、防虫処理の効果を以下の式で評価することができる。
（１）吸血行動した個体数の割合の差
ｎｃ／Ｎｃ−ｎｔ／Ｎｔ
（２）吸血行動した個体数の割合の比
（ｎｃ／Ｎｃ）／（ｎｔ／Ｎｔ）  但し、ｎｔ≠０。
（３）吸血行動しなかった個体数の割合の比
（１−（ｎｔ／Ｎｔ））／（１−（ｎｃ／Ｎｃ））  但し、ｎｃ≠Ｎｃ。
Ｎｔ＝Ｎｃの場合は、正規化する必要はなく、例えば以下の式でも評価できる。
（４）吸血行動した個体数の差
ｎｃ−ｎｔ
上述の式は、値が大きいほど防虫効果が高いことを表す。逆に値が小さいほど防虫効果が高いことを表すようにするには、差の符号を逆にするか、比を逆数にする。
【００７２】
また、吸血行動した個体数の代わりに、ノックダウンした個体数、もしくは、死亡した個体数、あるいは、試料９に止まった個体数、もしくは、試料９に止まった延べ時間を用いて、防虫効果を評価することができる。
【００７３】
上述の実施の形態は、組み合わせて用いることができる。例えば、図１４の支持機構６を実施の形態１の収容体１を支持する構造として用いることができる。例えば、収容する虫がダニのように小さく、網１３を通過できる場合は、収容体１の外面を樹脂または金属の板で構成する必要がある。その場合に、ダニが試料９に接近しやすいように、開口１１が形成された面の内部空間の側を上向きにしたほうがよい。実施の形態２の支持機構６によれば、開口１１が形成された面の角度を変えられるので、試料９を取り付ける面を、収容する虫の特性に合わせて最適な角度に設定できる。
【００７４】
実施の形態２の防虫性試験装置は、他にも変形が可能である。例えば、支持機構６は、図１４の例に限らない。開口が形成された面の角度を変える必要がなければ、支持枠６１を回動可能に支持する必要はなく、基盤６０に固定することができる。その場合、シャフト６２とアーム６３の構造である必要はなく、決まった形状の台を用いることができる。
【００７５】
さらに、支持機構６を収容体１に取り付けてしまっても構わない。収容体１を回動可能に支持する場合でも、支持機構６を収容体１に固定しておくことができる。その場合に、収容体１の板状部材１０に近付けるように支持機構６を折りたためるように構成することができる。
【００７６】
また、例えば、給餌装置５を取り付けるのは、収容体１に限らない。例えば、給餌装置５を支持機構６に取り付けるように構成してもよい。支持機構６のアーム６３の間に桟を渡して、桟に給餌装置５を取り付けるようにすることができる。また、試料ホルダ４に給餌装置５を取り付けてもよい。または、試料ホルダ４と給餌装置５を一体に構成してもよい。その場合、給餌装置５を支持するのはレール２である。そのとき、レール２と試料ホルダ４を、図９および図１０に示すような構造にしてもよい。試料ホルダ４に給餌装置５を取り付ける場合、または、試料ホルダ４と給餌装置５を一体に構成する場合は、試料９と給餌装置５を収容体１に同時に設置できる。
【００７７】
給餌装置５を取り付ける構造は、スタッド１４とナット５７に限らない。例えば、カムが形成され回動可能に支持されるレバーを備える構成でもよい。その場合、レバーを回してカムでスタッド１４を挟んで固定することができる。その他、給餌装置５を挟むように形成された枠を設け、枠と給餌装置５の一方にレール２を形成し、他方にレール２が嵌まる溝を形成する構造でもよい。レ−ルに溝をスライド嵌合させて給餌装置５を取り付けることができる。
【００７８】
実施の形態２の防虫性試験装置は、上述の試験方法の他にもさまざまな試験に用いることができる。実施の形態２の防虫性試験装置では、実施の形態１の防虫性試験装置と同じ試験ができることは言うまでもない。他に、例えば、注入口１５から注入する物質の効果だけを試験することができる。試料ホルダ４に保持させる試料９と、給餌装置５を同じものにして、注入口１５から注入する物質を変えて、試験することができる。その場合、試料９に止まった個体数または餌の摂取行動をした個体数、あるいは、試料９に止まった延べ時間を計測して、注入する物質の虫を誘引する効果、または、注入する物質を虫が忌避する効果を評価することができる。注入する物質は、気体に限らず、噴霧する液体または散布する粉体でもよい。
【００７９】
他に、皮膚に塗布する忌避剤の効果を試験することもできる。例えば、試料の担体を用いずに、給餌装置５の表面に直に試料を塗布して、収容体１の開口１１に設置する。そのためには、給餌装置５を試料ホルダ４に取り付ける構造、または、試料ホルダ４と給餌装置５が一体の構造を用いる。この試験の場合、試料ホルダ４に保持される試料は、給餌装置５に塗布した薬剤である。例えば、給餌装置５の表面に、虫が忌避する成分を含む薬剤を塗布した場合と、その成分を含まない薬剤を塗布した場合とで、試験することができる。その場合、給餌装置５に止まった個体数または餌の摂取行動をした個体数、あるいは、給餌装置５に止まった延べ時間を計測して、その成分を虫が忌避する効果を評価できる。
【００８０】
さらに、実施の形態の防虫性試験装置に計測装置を組み合わせることができる。例えば、収容体１の内部に、レーザ光の発光素子と受光素子を、試料９から一定の距離に対向して配列し、レーザ光を横切る個体数を数えることによって、試料９に接近または接触した個体数を計測することができる。また、試料９に止まった虫の個体数、または、虫が試料９に止まった延べ時間を計測するために、撮影装置と録画装置を用いることができる。さらに、撮影した画像から、画像認識装置を用いて、定めた基準に該当する虫を数えることができる。
【００８１】
収容体１の内部を撮影する場合、実施の形態２の網１３を通して外から撮影するのでは、正確に判定することが困難なので、収容体１の内部に撮影装置を設置してもよい。例えば、柱１６に撮影装置を取り付けて、試料９を含む範囲を撮影することができる。
【００８２】
本発明は、本発明の広義の精神と範囲を逸脱することなく、様々な実施の形態および変形が可能とされるものである。また、上述した実施の形態は、本発明を説明するためのものであり、本発明の範囲を限定するものではない。本発明の範囲は、実施の形態ではなく、特許請求の範囲によって示される。そして、特許請求の範囲内およびそれと同等の発明の意義の範囲内で施される様々な変形が、本発明の範囲内とみなされる。
【符号の説明】
【００８３】
１  収容体
２  レール
３  カバー
４  試料ホルダ
５  給餌装置
６  支持機構
７  ニードル
９  試料
１０  板状部材
１１  開口
１２  底部
１３  網
１４  スタッド
１５  注入口
１６  柱
１７  ポールＡ
１８  ポールＢ
１９  軸
２１  移動止め
３１  中央部
３２  摺動部
４１  板Ａ
４２  板Ｂ
４３  孔
４４  孔
４５  凹穴
４６  突起
４７  部材Ａ
４８  部材Ｂ
４９  摺動部
５１  本体
５２  凹部
５３  膜
５４  Ｏリング
５５  支持板
５６  穴
５７  ナット
６０  基盤
６１  支持枠
６２  シャフト
６３  アーム
６４  支柱
７０  配管
【図１】
2018122952.tif 000003
【図２】
2018122952.tif 000004
【図３】
2018122952.tif 000005
【図４】
2018122952.tif 000006
【図５】
2018122952.tif 000007
【図６】
2018122952.tif 000008
【図７】
2018122952.tif 000009
【図８】
2018122952.tif 000010
【図９】
2018122952.tif 000011
【図１０】
2018122952.tif 000012
【図１１】
2018122952.tif 000013
【図１２】
2018122952.tif 000014
【図１３】
2018122952.tif 000015
【図１４】
2018122952.tif 000016
【図１５】
2018122952.tif 000017
【図１６】
2018122952.tif 000018
【図１７】
2018122952.tif 000019
【国際調査報告】
2018122952.tif 000020
2018122952.tif 000021
2018122952.tif 000022